(57)【特許請求の範囲】
【請求項１】
配電盤の外部に設けられ、配電盤内の電気機器ユニットを試験位置と運転位置に移動させるハンドルと、配電盤内に設けた回動軸に取り付けた作動レバーと、前記ハンドルの操作で作動レバーを回動させる操作ロッドと、電気機器ユニットの側面に取り付けられ、前記作動レバーに係合するローラとをそなえ、前記ローラと作動レバーとの係合状態によって電気機器ユニットを試験位置と運転位置のいずれかに移動させて保持する配電盤において、配電盤内に設けたインタロック板に、電気機器ユニットの試験位置と運転位置に対応させた試験位置ロック孔と運転位置ロック孔を設け、前記電気機器ユニットに、その移動位置に応じてインタロック板の試験位置ロック孔と運転位置ロック孔のいずれかに挿入されるロックピンをそなえ、前記ハンドルによる作動レバーの回動にともなって、電気機器ユニットの移動に先立って、試験位置ロック孔と運転位置ロック孔にそれぞれ前記ロックピンの反対方向から挿入して、ロックピンをロック孔から押し出す解錠ピンをそなえ、前記解錠ピンが、インタロック板の下方に、電気機器ユニットの移動方向と並行に設けられた解錠操作軸に、試験位置ロック孔と運転位置ロック孔に対応させて、それぞれアームを介して上下動するように取り付けられ、前記解錠ピンを引き下げる方向に解錠操作軸を回動させる戻しばねをそなえ、解錠操作軸の一方端に操作アームを取り付け、作動レバーとともに回動するカムに係合させた揺動レバーを前記操作アームに連結し、作動レバーの回動により操作アームが、解錠操作軸を戻しばねに抗して解錠ピンを押し上げる方向に回動させるようにしたことを特徴とする引出形電気機器ユニットのロック装置。
【請求項２】
配電盤の外部に設けられ、配電盤内の電気機器ユニットを試験位置と運転位置に移動させるハンドルと、配電盤内に設けた回動軸に取り付けた作動レバーと、前記ハンドルの操作で作動レバーを回動させる操作ロッドと、電気機器ユニットの側面に取り付けられ、前記作動レバーに係合するローラとをそなえ、前記ローラと作動レバーとの係合状態によって電気機器ユニットを試験位置と運転位置のいずれかに移動させて保持する配電盤において、配電盤内に設けたインタロック板に、電気機器ユニットの試験位置と運転位置に対応させた試験位置ロック孔と運転位置ロック孔を設け、前記電気機器ユニットに、その移動位置に応じてインタロック板の試験位置ロック孔と運転位置ロック孔のいずれかに挿入されるロックピンをそなえ、前記ハンドルによる作動レバーの回動にともなって、電気機器ユニットの移動に先立って、試験位置ロック孔と運転位置ロック孔にそれぞれ前記ロックピンの反対方向から挿入して、ロックピンをロック孔から押し出す解錠ピンをそなえ、前記解錠ピンが、インタロック板の下方に、電気機器ユニットの移動方向と並行に設けられた解錠操作軸に、試験位置ロック孔と運転位置ロック孔に対応させて、それぞれアームを介して上下動するように取り付けられ、前記解錠操作軸を囲んで解錠ピンを引き下げる方向に回動させる戻しばねをそなえ、解錠操作軸の一方端に捩りばねを介して操作アームを取り付け、作動レバーとともに回動するカムに係合させた揺動レバーを前記操作アームに連結し、作動レバーの回動により操作アームが、解錠操作軸を捩りばねを介して解錠ピンを押し上げる方向に回動させ、解錠操作軸に加わる回動トルクが一定値を越えると、操作アームの回動を捩りばねの撓みで吸収するようにした引出形電気機器ユニットのロック装置。
【発明の詳細な説明】
【０００１】
【発明の属する技術分野】
本発明は、外部に設けられたハンドルによって、配電盤内に設けた電気機器ユニットを試験位置と運転位置との間に往復移動させる配電盤における前記電気機器ユニットのロック装置に関する。
【０００２】
【従来の技術】
従来、配電盤内の主開閉装置を接続・断路するために、背面に接続器をそなえた電気機器ユニットを移動可能に収納し、配電盤外からの操作で、この電気機器ユニットを運転位置に押し込んだ状態で接続器により電路を接続させ、試験位置に引き出したときに電路が断路させるようにした配電盤においては、前記電気機器ユニットを移動させる機構とともに、移動後の位置においてロックを行わせる必要があり、たとえば特開平１０−１０８３２５号に示されている。
【０００３】
図８は、このようなロック装置の概要を示す側面図で、配電盤１内に接続器をそなえた電気機器ユニット２０を実線で示す試験位置から点線で示す運転位置に移動させ、図示していない接続器を母線に接続させるようにしている。２は配電盤の外側に設けたハンドルに連結したハンドル軸、３はハンドル軸２で回動されるハンドルレバー、４はハンドルレバー３の一端に設けたピンで、ハンドル軸２に回動自由に取り付けられたレバー５の円弧状孔６に係合させている。７は配電盤の枠体に設けたストッパー、８は配電盤１の枠体に支持された回動軸、９は電気機器ユニットの外側に対向させて前記回動軸８に取り付けた作動レバーで、開溝１０をそなえ、電気機器ユニット２０の側面に設けたローラ２１を係合させている。１１は一方端をピン１２で前記レバー５に連結し、他方端をピン１３で作動レバー９に連結した操作ロッドで、ハンドル操作によるレバー５の回動に応じて作動レバー９を回動させ、ローラ２１を開溝１０内の側縁に係合させて電気機器ユニット２０を移動させるようにしている。
【０００４】
電気機器ユニット２０を配電盤内の試験位置に引き出した図８の状態では、作動レバー９の開溝１０が移動方向の前向き（図の左側）になっており、ローラ２１が作動レバー９の受け面９ａに当接して電気機器ユニット２０を試験位置に保持させている。
配電盤外側の図示していないハンドルで、ハンドル軸２とともにハンドルレバー３を時計方向に回動させると、ピン４が円弧状孔６に沿って移動し、レバー５を回動させて操作ロッド１１を矢印方向に押し出して作動レバー９を回動させ、開溝１０に係合させたローラ２１を介して電気機器ユニット２０を点線で示す運転位置に移動させる。この状態では、操作ロッド１１とレバー５を連結するピン１２の位置が、ハンドル軸２とピン１３を結ぶ線を越えており、電気機器ユニット２０に引き出し方向の力が加わっても移動しないようにロックされる。
【０００５】
また、図９に示すように、電気機器ユニット２０にばね２３で下向きに付勢されるロックピン２２を設け、このロックピン２２を移動位置の固定部に設けたインタロック板２４の試験位置ロック孔２５と運転位置ロック孔２６のいずれかに挿入させて電気機器ユニット２０を移動後の位置でロックするようにし、電磁装置５０を設けて、ロックピン２２をばね２３に抗して引き上げ、電気機器ユニット２０を移動させるようにしたロック装置が用いられている。
【０００６】
【発明が解決しようとする課題】
しかるに、このような引出形の電気機器ユニットにおいては、前記のようにローラ２１と作動レバー９との係合状態や、操作ロッド１１の連結ピンの位置で機構的なインタロックを行わせるだけでは、ロックを確実に保証できない不安がある。このため、電気機器ユニットにロックピンを取り付け、ソレノイドなどの電磁装置によりロックピンを操作して移動位置と運転位置のピン孔に挿入させるようにしても、この電磁装置の操作は、電気機器ユニットの接触器などとインターフェイスを取る必要があり、電気的な指令回路やインタロックが複雑になるとともに、停電時には電磁装置が操作できないので、ロックの解除ができなくなり、運転位置に保持されている場合は試験位置への移動が不能になって保安上の不都合を生じるなどの欠点があった。
本発明は電気機器ユニットに設けたロックピンを配電盤外側のハンドルの操作に関連して自動的に解除できるようにしたロック装置を提供する。
【０００７】
【課題を解決するための手段】
このため、配電盤内に設けたインタロック板に、電気機器ユニットの試験位置と運転位置に対応させて試験位置ロック孔と運転位置ロック孔を設け、前記電気機器ユニットに、インタロック板の上方から、移動後の位置に応じて試験位置ロック孔と運転位置ロック孔のいずれかに挿入するロックピンをそなえ、電気機器ユニットを移動させる作動レバーの回動にともなって、電気機器ユニットの移動に先立って、試験位置ロック孔と運転位置ロック孔にそれぞれ下方から解錠ピンを挿入し、ロックピンをロック孔から押し出すようにしている。
なお、作動レバーにより電気機器ユニットが移動する前に解錠ピンを挿入させるために、作動レバーに設けた開溝の幅を、電気機器ユニットに取り付けたローラの径より大きくして、作動レバーの回動でローラが開溝に係合されてから開溝側縁でローラを押すまでのタイムラグを生じるようにしている。
【０００８】
また、前記解錠ピンをロック孔の下方から挿入させるために、インタロック板の下方に、電気機器ユニットの移動方向と並行に解錠操作軸をそなえ、この解錠操作軸に、試験位置ロック孔と運転位置ロック孔に対応させてそれぞれアームを介して上下動するように取り付けた解錠ピンと、前記解錠ピンを引き下げる方向に解錠操作軸を回動させる戻しばねとをそなえ、この解錠操作軸の一方端に取り付けた操作アームを、作動レバーとともに回動するカムに係合させた揺動レバーに連結させ、カムの回動により揺動レバーを介して操作アームを回動させ、解錠操作軸を戻しばねに抗して解錠ピンを押し上げる方向に回動させるようにしている。
【０００９】
また、前記操作アームを解錠操作軸の一方端に摺動するように取り付け、解錠操作軸と操作アームを、解錠操作軸を囲んで設けた捩りばねを介して連結させ、解錠操作軸に一定値以上の回転トルクが加わると、捩りばねの撓みによって操作アームの回転力を吸収し、解錠ピンに一定値以上の押し上げ力が加わらないようにしている。
【００１０】
【発明の実施の形態】
以下、本発明の実施例を示す図１ないし図５について説明する。
１は配電盤、２０は配電盤１内に収納した電気機器ユニットで、試験位置と運転位置とに移動させ、図示しない接続器を接続させるようにしている。２は前記電気機器ユニットを移動させるハンドル（図示しない）に連結したハンドル軸、３はハンドル軸２とともに回動するハンドルレバー、４はハンドルレバー３の一端に設けたピン、５はハンドル軸２に回動自由に取り付けられたレバーで、円弧状孔６に前記ピン４を係合させている。７はレバー５のストッパー、８は配電盤の枠体に支持された回動軸、９は電気機器ユニットの両側で前記回動軸８に取り付けた作動レバーで、開溝１０をそなえ、電気機器ユニット２０の側面に設けたローラ２１を係合させているが、作動レバー９の開溝１０の幅をローラ２１の径より大きくして、作動レバー９が若干回動した後にローラ２１と開溝１０の側縁との係合により電気機器ユニットを移動させるように調整している。
１１は前記作動レバー９を介して電気機器ユニット２０を移動させる操作ロッドで、一方端をピン１２でレバー５に連結し、他方端を回動軸８に取り付けた作動レバー９にピン１３で連結させており、図８に示す従来のものと同様に操作される。
【００１１】
２２は電気機器ユニット２０に取り付けたロックピンで、ばね２３で下向きに付勢されている。２４はインタロック板で、試験位置ロック孔２５と運転位置ロック孔２６を設け、配電盤１のベース２７の上面に取り付けている。２８、２９は試験位置ロック孔２５と運転位置ロック孔２６に対向してベース２７に設けたピンガイド孔である。
３０は、ベース２７の下に電気機器ユニット２０の移動方向と並行に複数の軸受３１で支持させた解錠操作軸で、試験位置ロック孔２５と運転位置ロック孔２６の位置に対向させて解錠ピン３４、３５をそなえている。この解錠ピン３４は図３に示すように、解錠操作軸３０に取り付けたアーム３２に、下端をピン３３で取り付け、上端をピンガイド孔２８に挿入している。解錠ピン３５も同様に取り付けられている。３６は解錠操作軸３０に係合させ、解錠ピン３４、３５を引き下げる方向（図３の矢印方向）に付勢する戻しばねで、図では捩りばねを用いて２カ所に設けている。３７は解錠操作軸３０の端に取り付けた操作アーム、３８は前記作動アーム３７を回動させるＬ形の揺動レバーで、ベース２７の支持片３９にピン４０で支持され、折り曲げ部を前記操作アーム３７にピン４１で連結している。４２は回動軸８に取り付けられ、作動レバー９とともに回動するカムで、前記揺動レバー３８に係合させている。
【００１２】
電気機器ユニット２０が試験位置にあるときは、ロックピン２２がインタロック板２４の試験位置ロック孔２５に挿入されており、揺動レバー３８はカム４２から外れて、解錠操作軸３０は戻しばね３６によって解錠ピン３４、３５を引き下げている。
ハンドルを介してハンドルレバー３が回されると、操作ロッド１１が矢印方向に操作され、作動レバー９が回動して開溝１０にローラ２１が入り、この作動レバー９の回動とともにカム４２が回動して揺動レバー３８を押し下げ、作動アーム３７を介して解錠操作軸３０を戻しばね３６に抗して図３の矢印とは反対方向に回動させ、それぞれのアーム３２に連結した解錠ピン３４、３５をピンガイド孔２８、２９に沿って押し上げ、解錠ピン３４がロックピン２２を試験位置ロック孔２５からインタロック板２４上に押し出す。
このように、電気機器ユニット２０の移動に先立って、ロックピン２２が試験位置ロック孔２５から押し出されると、電気機器ユニット２０の移動が可能になり、開溝１０の側縁がローラ２１を押して電気機器ユニット２０を運転位置に移動させ、ロックピン２２は、インタロック板２４の上面を滑って移動する。
【００１３】
電気機器ユニット２０が運転位置まで移動する間に、作動レバー９が回動して図１に示した状態とは反対方向に傾斜し、カム４２も回動して揺動レバー３８を復帰させ、解錠操作軸３０は戻しばね３６により、解錠ピン３４、３５を引き下げるように回動し、運転位置まで移動した電気機器ユニット２０は、ロックピン２２を運転位置ロック孔２６に挿入させる。
電気機器ユニット２０を運転位置から試験位置に移動させるときも、同様に作用する。
【００１４】
なお、ロックピン２２は、電気機器ユニット２０を移動させるときは、解除ピンで押し上げられ、移動後の位置でロック孔に確実に落とされるので、ロックピンの上下動を利用して電気接点を操作させ、移動時の電気的インタロックを行わせることができ、移動時の安全性を向上させる。
【００１５】
図６および図７は、別の実施例における要部を示すものである。
電気機器ユニット内の開閉器が閉路している時は、安全のため電気機器ユニットを移動させないようにする必要があり、開閉器が閉路している間は、ロックピン２２をインタロック板２４から外させないようにしている。しかし、この状態で無理にハンドルを操作して移動させようとすると、電気機器ユニット２０の移動に先立って解錠操作軸３０が回動され、解錠ピン３４、３５を押し上げようとするため、解錠操作機構を損傷したり、ロックピンを介して電気機器ユニットを押し上げるなどの事故を生じる。
【００１６】
この実施例は、このような事故を防ぐようにしたもので、図２および図４と同じ部分に同一の符号を付している。４５は開閉器、４６はソレノイドで、開閉器４５が閉路しているときは付勢され、磁性板４７を吸引位置（図６の点線位置）に保持させる。４８は電気機器ユニット２０に取り付け、ロックピン２２を保持するピンホルダ、４９はロックピン２２の上端に取り付けたピンレバー、５０はピン５１で回動するロックレバーで、前記ピンレバー４９のローラ５２と係合して、ロックピン２２の上下移動にともなって回動する。
５３（図７）は解錠操作軸３０の端部に摺動可能に嵌合させた連結管で、操作アーム３７を取り付けている。５４は前記連結管５３に設けたばね受け片、５５は解錠操作軸３０を囲む捩りばねで、一方端を解錠操作軸３０に連結し、他方の足５５ａを前期ばね受け片５４に接触係合させている。
【００１７】
開閉器４５が開路して、磁性板４７がソレノイド４６から離開している（図６の実線で示す）状態では、ロックレバー５０の先端部５０ａがソレノイド４６と磁性板４７の間に挿入できるため、ハンドルを操作して作動レバー９を回動させると、カム４２が揺動レバー３８を動かし、操作アーム３７とともに連結管５３が回動して、ばね受け片５４と捩りばね５５を介して解錠操作軸３０を回して解錠ピン３４、３５を押し上げ、ピンレバー４９とともにロックピン２２を、インタロック板２４から抜き出して電気機器ユニット２０を移動させる。
【００１８】
しかるに、開閉器４５が閉路し、図６の点線で示すように磁性板４７がソレノイド４６に吸引されていると、ロックレバー５０の先端部５０ａが磁性板４７に衝接してピンレバー４９の移動が阻止されており、解錠ピン３４、３５を押し上げようとしてもロックピン２２が移動できないので、解錠操作軸３０は回動できない。
この状態で、ハンドルを操作して電気機器ユニット２０を移動させようとすると、作動レバー９は、開口側縁がローラ２１にあたるまで回動し、カム４２も回動して揺動レバー３８を介して操作アーム３７とともに連結管５３を回動させ、ばね受け片５４が捩りばね５５の足５５ａを押し、解錠操作軸３０を回動させようとするが、前記のように解錠操作軸３０は回動できないため、捩りばね５５が撓んで操作アーム３７の回動を吸収し、解錠操作軸３０への伝達トルクを一定値以下に弱め、解錠操作軸３０やロックピン２２に過大な押し上げ力を加えることなく、電気機器ユニット２０の移動も阻止される。
なお、電気機器ユニットの移動が阻止されると、作動レバー９とともに、カム８が回動できなくなり、捩りばね５５に前記の撓み以上の力は加わらない。
【００１９】
【発明の効果】
このように本発明は、配電盤内に、電気機器ユニットの試験位置と運転位置に対応させて試験位置ロック孔と運転位置ロック孔をそなえたインタロック板を設け、電気機器ユニットに、前記試験位置と運転位置で前記インタロック板のロック孔に挿入するロックピンをそなえており、電気機器ユニットを移動させるときは、電気機器ユニットの移動に先立って、前記試験位置ロック孔と運転位置ロック孔にそれぞれ挿入される解錠ピンにより、ロックピンをロック孔から押し出すようにしているので、電気機器ユニットの試験位置と運転位置におけるインタロックを、配電盤外部のハンドル操作により電気機器ユニットの移動に先立って確実に解除させ、停電などの影響を受けることなく、必要に応じて配電盤の外からロックの解除と電気機器ユニットの移動を行わせることができ、移動後の位置でのインタロックも確実に行わせることができる。
【００２０】
なお、ロックピンは、電気機器ユニットを移動させるときは、解除ピンで押し上げられ、移動後の位置でロック孔に確実に落とされるので、ロックピンの上下動を利用して電気接点を操作させ、移動時の電気的インタロックを行わせることができ、移動時の安全性を向上させる効果が得られる。
【００２１】
また、解錠操作軸と、この解錠操作軸を回動させる操作アームとを直接連結しないで、捩りばねを介して連結することにより、解錠操作軸に加わる回動トルクが一定値を越えると操作アームの回動が捩りばねの撓みで吸収されて、解錠操作軸に過大なトルクが加わることがなく、解錠機構の損傷や、ロックピンを無理に押し上げて、ロックピンを損傷したり、電気機器ユニットを持ち上げるなどの事故を防止できる。
【図面の簡単な説明】
【図１】本発明の実施例を示す要部の側断面図である。
【図２】図１の一部拡大図である。
【図３】解除ピンの構成例を示す側断面図である。
【図４】解錠操作軸の操作を示す説明図である。
【図５】図４のＡ−Ａ線に沿う側面図である。
【図６】別の実施例の要部を示すもので、ロックピン部の側断面図である。
【図７】図６の実施例における解錠操作軸の連結部を示す説明図である。
【図８】従来の例を示す要部の側断面図である。
【図９】別のロック装置を示す側断面図である。
【符号の説明】
１  配電盤
２  ハンドル軸
３  ハンドルレバー
８  回動軸
９  作動レバー
１０  開溝
１１  操作ロッド
２０  電気機器ユニット
２２  ロックピン
２４  インタロック板
２５  試験位置ロック孔
２６  運転位置ロック孔
２８、２９  ピンガイド孔
３０  解錠操作軸
３２  アーム
３４、３５  解錠ピン
３６  戻しばね
３７  操作アーム
３８  揺動レバー
４２  カム
４５  開閉器
４６  ソレノイド
４７  磁性板
４９  ピンレバー
５０  ロックレバー
５３  連結管
５４  ばね受け片
５５  捩りばね
【図１】
0004586304.tif 000002
【図２】
0004586304.tif 000003
【図３】
0004586304.tif 000004
【図４】
0004586304.tif 000005
【図５】
0004586304.tif 000006
【図６】
0004586304.tif 000007
【図７】
0004586304.tif 000008
【図８】
0004586304.tif 000009
【図９】
0004586304.tif 000010